(57)【要約】【課題】一の磁気検知部材によって広範な検知可能範囲を確保する。【解決手段】遊技盤３０表面に右サイド飾り３４が設けられた遊技機において、磁気センサ６０（リードスイッチ）を、右サイド飾り３４の第２誘導部３４ｂの裏側に形成された凹部３５に、遊技盤表面よりも手前側に位置するよう横置き（リードの長手方向が遊技盤３０の表面に平行となる配置）で収容する。これにより、遊技盤３０表面に直交する方向における磁気センサ６０の磁気検知範囲を遊技盤３０表面の手前側にシフトすることができるから、横置きされた磁気センサ６０によって、遊技盤３０表面に平行な方向における磁気検知範囲を広げつつ、遊技盤表面より手前側の磁気検知距離を十分に確保することができる。【選択図】図９
2015160064.tif 000002
【特許請求の範囲】
【請求項１】
遊技球が流下可能な遊技領域が表面に形成された遊技盤を備える遊技機であって、
第１方向への検知距離が第１距離とされ、前記第１方向と直交する第２方向への検知距離が前記第１距離よりも長い第２距離とされた磁気検知部材を備え、
前記磁気検知部材は、前記第２方向と前記遊技盤表面とが略平行になり、当該磁気検知部材の全部または一部が前記遊技盤表面よりも手前側に位置するように設けられてなる
ことを特徴とする遊技機。
【請求項２】
請求項１記載の遊技機であって、
前記遊技領域を流下する遊技球が通過可能な複数の球通過口を備え、
前記磁気検知部材は、前記複数の球通過口が磁気検知範囲内または磁気検知範囲近傍に含まれるように設けられてなる
ことを特徴とする遊技機。
【請求項３】
請求項２記載の遊技機であって、
前記複数の球通過口として、少なくとも、入球可能状態と入球不能状態とに変化可能な可変入球装置の球入口と、前記可変入球装置を入球可能状態とする契機となる契機口とを有する
ことを特徴とする遊技機。
【請求項４】
請求項１ないし３いずれか１項に記載の遊技機であって、
全部または一部が前記遊技盤表面よりも奥側に位置するよう設けられた他の磁気検知部材を備え、
前記他の磁気検知部材は、前記第１方向または前記第２方向と前記遊技盤表面が略平行となるように設けられてなる
ことを特徴とする遊技機。
【発明の詳細な説明】
【技術分野】
【０００１】
本発明は、パチンコ機やアレンジボールなどの弾球式の遊技機に関する。
【背景技術】
【０００２】
従来、この種の遊技機としては、磁石による不正を防止するために、磁石が近接されたときにその磁気を検知する磁気センサ（磁気検知部材）を遊技盤に設けたものが知られている。例えば、特許文献１には、磁気センサとしてのリードスイッチを、リードの長手方向が遊技盤表面と平行となるように、遊技盤面内に配設したものが開示されている。尚、リードスイッチは、長手方向両端部から外方へ広がる２つの略球形空間を磁気検知範囲とする。
【先行技術文献】
【特許文献】
【０００３】
【特許文献１】特開２００９−６６３４２号公報
【発明の概要】
【発明が解決しようとする課題】
【０００４】
リードスイッチ（磁気センサ）は、リードの長手方向に直交する方向（第１方向）の検知距離が長手方向（第２方向）の検知距離よりも短いことから、リードの長手方向が遊技盤表面に平行となるように配置すると、遊技盤表面に平行な方向に対しては検知範囲を広げることができるものの、遊技盤表面の前方側（手前側）に対しては検知距離が短くなり、十分な感度を得ることができない場合が生じる。
【０００５】
本発明の遊技機は、一の磁気検知部材によって広範な検知可能範囲を確保することを主目的とする。
【課題を解決するための手段】
【０００６】
本発明の遊技機は、上述の主目的を達成するために以下の手段を採った。
【０００７】
本発明の遊技機は、
遊技球が流下可能な遊技領域が表面に形成された遊技盤を備える遊技機であって、
第１方向への検知距離が第１距離とされ、前記第１方向と直交する第２方向への検知距離が前記第１距離よりも長い第２距離とされた磁気検知部材を備え、
前記磁気検知部材は、前記第２方向と前記遊技盤表面とが略平行になり、当該磁気検知部材の全部または一部が前記遊技盤表面よりも手前側に位置するように設けられてなる
ことを要旨とする。
【０００８】
この本発明の遊技機では、第１方向への検知距離が第１距離とされ第１方向と直交する第２方向への検知距離が第１距離よりも長い第２距離とされた磁気検知部材を、第２方向と遊技盤表面とが略平行になり、磁気検知部材の全部または一部が遊技盤表面よりも手前側に位置するように設ける。これにより、遊技盤表面に平行な方向に対して検知範囲を広げることができる。また、磁気検知部材を遊技盤表面よりも奥側に配設するものに比して、遊技盤表面の手前側に対しても十分な検知距離を確保することができる。この結果、一の磁気検知部材によって広範な検知可能範囲を確保することができる。
【０００９】
こうした本発明の遊技機において、
前記遊技領域を流下する遊技球が通過可能な複数の球通過口を備え、
前記磁気検知部材は、前記複数の球通過口が磁気検知範囲内または磁気検知範囲近傍に含まれるように設けられてなる
ものとすることもできる。
【００１０】
こうすれば、一の磁気検知部材によって、複数の球通過口に対する不正を検知することが可能となる。この結果、複数の球通過口のそれぞれに対して磁気検知部材を設けるものに比して、部品点数を減らすことができる。
【００１１】
複数の球通過口を備える態様の本発明の遊技機において、
前記複数の球通過口として、少なくとも、入球可能状態と入球不能状態とに変化可能な可変入球装置の球入口と、前記可変入球装置を入球可能状態とする契機となる契機口とを有する
ものとすることもできる。
【００１２】
こうすれば、契機口および球入口に対する不正を、一の磁気検知部材によって効率よく検知することができる。
【００１３】
また、本発明の遊技機において、
全部または一部が前記遊技盤表面よりも奥側に位置するよう設けられた他の磁気検知部材を備え、
前記他の磁気検知部材は、前記第１方向または前記第２方向と前記遊技盤表面が略平行となるように設けられてなる
ものとすることもできる。
【００１４】
こうすれば、全部または一部が遊技盤表面よりも手前側に位置するよう設けられた磁気検知部材と、全部または一部が遊技盤表面よりも奥側に位置するよう設けられた他の磁気検知部材とを組み合わせることで、遊技盤に対して作用する磁気を効率よく検知することができる。
【発明の効果】
【００１５】
本発明の遊技機によれば、一の磁気検知部材によって広範な検知可能範囲を確保することができる。
【図面の簡単な説明】
【００１６】
【図１】本発明の一実施例としてのパチンコ機１０の外観を示す外観斜視図である。
【図２】実施例のパチンコ機１０の遊技盤３０の構成の概略を示す構成図である。
【図３】遊技盤３０の裏面側の構成の概略を示す構成図である。
【図４】右サイド飾り３４の表面側の外観を示す外観斜視図である。
【図５】右サイド飾り３４の裏面側の外観を示す外観斜視図である。
【図６】磁気センサ６０〜６５の磁気検知範囲を示す説明図である。
【図７】磁気センサ６０〜６５の第１方向および第２方向における磁気検知距離を説明する説明図である。
【図８】遊技盤３０における磁気検知範囲を示す説明図である。
【図９】右サイド飾り３４の断面を示す断面図である。
【発明を実施するための形態】
【００１７】
次に、本発明の実施の形態を実施例を用いて説明する。なお、以下では、特別図柄の変動表示の終了に伴い大当り図柄が停止表示され、これを契機に大当り遊技が開始されるタイプ（いわゆるセブン機タイプ）のパチンコ機に本発明を適用した例を説明する。
【実施例】
【００１８】
図１はパチンコ機１０（遊技機）の外観を示す外観斜視図であり、図２はパチンコ機１０の遊技盤３０の構成の概略を示す構成図であり、図３は遊技盤３０の裏面側の構成の概略を示す構成図である。
【００１９】
実施例のパチンコ機１０は、図１に示すように、前面枠１１に嵌め込まれたガラス板１２（透明板）を介して盤面が視認可能に配置された遊技盤３０（図２参照）と、遊技球を貯留する上受け皿１４および下受け皿１６と、上受け皿１４に貯留されている遊技球を遊技盤３０へ発射するための発射ハンドル１８と、を備える。
【００２０】
前面枠１１は、本体枠２１に嵌め込まれており、左辺を回動軸として本体枠２１に対して回動できるようになっている。本体枠２１は、外枠２２に嵌め込まれており、左辺を回動軸として外枠２２に対して回動できるようになっている。なお、前面枠１１と本体枠２１は、略長方形状のプラスティック製の枠体として構成されている。また、外枠２２は、略長方形状の木製の枠体として構成されており、パチンコホールの島設備の島枠に固定される。
【００２１】
また、前面枠１１の左上部と右上部には、遊技の進行に伴って種々の効果音を鳴らしたり遊技者に遊技状態を報知したりするためのスピーカ２８ａ，２８ｂが設けられており、右端部には、前面枠１１を本体枠２１に対して施錠するための施錠装置２９が設けられている。また、前面枠１１の左側には、図示しないプリペイドカード式の球貸装置（ＣＲユニット）が設けられている。
【００２２】
上受け皿１４は、その上面部に、ＣＲユニットに挿入されたカードの価値残高（有価残高）の範囲内で遊技球の貸し出しを指示するための球貸ボタン２４ａと、ＣＲユニットに挿入されているカードの返却を指示するための返却ボタン２４ｂとが配設されている。また、上受け皿１４は、その上面中央部に、遊技者の操作に応じて各種演出を行うための演出ボタン２６が配設されている。
【００２３】
発射ハンドル１８は、前面枠１１の右下部に設けられている。発射ハンドル１８の回転軸には、上受け皿１４に貯留されている遊技球を１球ずつ打ち出すための図示しない発射装置が接続されており、発射ハンドル１８が回転操作されると、発射装置が備える発射モータが回転し、これに伴って発射ハンドル１８の操作量に応じた強さの打撃力で遊技球を打ち出す。
【００２４】
遊技盤３０は、図２に示すように、外レール３１ａと内レール３１ｂとによって囲まれる遊技領域３１が表面（盤面）に形成されている。遊技領域３１内には、遊技領域３１の中央部に配置されたセンター役物３２（中央装飾部材）と、遊技領域３１の右部に配置された右サイド飾り３４（右装飾部材）と、遊技領域３１の左下部に配置された左サイド飾り３６（左装飾部材）とが設けられている。また、遊技領域３１内には、右サイド飾り３４の上部に設けられた普通図柄作動ゲート４０と、センター役物３２の下に配置された第１始動口４１と、普通図柄作動ゲート４０の左下に配置された普通電動役物としての第２始動口４２と、第２始動口４２の下に配置された特別電動役物としての大入賞口４４と、左サイド飾り３６に３つ設けられた一般入賞口としての左入賞口４５ａ〜４５ｃと、右サイド飾り３４の下部に設けられた一般入賞口としての右入賞口４５ｄと、いずれの入賞口にも入らなかった遊技球を回収するためのアウト口４８とが設けられている。また、遊技領域３１内には、この他に、遊技領域３１内を流下する遊技球をガイドしたり弾いたりする風車３７や多数の釘３８が設けられている。
【００２５】
センター役物３２には、左部に形成されたワープ入口３３ａと下部に形成された３つのワープ出口３３ｂ〜３３ｄとを連通させるワープ通路３３が設けられている。ワープ入口３３ａに入球した遊技球は、ワープ通路３３内を揺動し、３つのワープ出口３３ｂ〜３３ｄの何れかから排出されるようになっている。３つのワープ出口３３ｂ〜３３ｄのうち真ん中のワープ出口３３ｃは第１始動口４１の真上に設けられており、真ん中のワープ出口３３ｃから遊技球が排出されると、他のワープ出口３３ｂ，３３ｄから遊技球が排出された場合に比して、第１始動口４１への遊技球の入球可能性が高くなっている。
【００２６】
図４および図５は、右サイド飾り３４の外観を示す外観斜視図である。なお、図４は右サイド飾り３４の表面側の外観を示し、図５は右サイド飾り３４の裏面側の外観を示す。図４に示すように、普通図柄作動ゲート４０の右上には遊技領域３１（センター役物３２）の右側を流下する遊技球を普通図柄作動ゲート４０へ誘導する第１誘導部３４ａが形成され、普通図柄作動ゲート４０の下には普通図柄作動ゲート４０を通過した遊技球または普通図柄作動ゲート４０を右に逸れて流下する遊技球を第２始動口４２へ誘導する第２誘導部３４ｂが形成されている。第１誘導部３４ａおよび第２誘導部３４ｂは、何れも、遊技盤３０の表面から手前側に突き出た凸部として構成されており、上面に左側へ向かって下り傾斜となる傾斜面（球通路）が形成されている。第２誘導部３４ｂは、凸部の裏側に凹部３５（図５参照）が形成されている。また、図５に示すように、普通図柄作動ゲート４０の裏面側には普通図柄作動ゲート４０への遊技球の通過を検知するゲートスイッチ４０ａが設けられており、第２誘導部３４ｂ（凸部）の裏面側に形成された凹部３５には磁気センサ６０が収容されている。
【００２７】
また、遊技盤３０の左下には、特別図柄表示装置５０が設けられている。特別図柄表示装置５０は、第１始動口４１か第２始動口４２かの何れかに遊技球が入球すると、表示状態を順次切り替えることにより特別図柄を変動表示させ、変動表示の実行時間が経過すると、表現可能な表示態様のうちのいずれかの表示態様で特別図柄を停止表示させる。このとき、停止表示された特別図柄の表示態様が特定の表示態様（当り特別図柄）である場合に、大当りとなる。
【００２８】
遊技盤３０の裏面側には、主に図３に示すように、センター役物３２の開口部を介して正面側から表示画面が視認可能に設けられた演出表示装置３９や、第１始動口４１に入球した遊技球が通過する球通路４１ｂ（図２参照）に設けられ遊技球の通過（第１始動口４１への遊技球の入球）を検知する第１始動口スイッチ４１ａ、第２始動口４２への遊技球の入球を検知する第２始動口スイッチ４２ａ（図２参照）、第２始動口４２を開閉する翼片部４２ｃ（図２参照）を作動させる普通電動役物ソレノイド４２ｂ、大入賞口４４（図２参照）への遊技球の入球を検知するカウントスイッチ４４ａ、大入賞口４４を開閉する開閉板４４ｃ（図２参照）を作動させる大入賞口ソレノイド４４ｂ、左入賞口４５ａ〜４５ｃへの遊技球の入球を検知する左入賞口スイッチ４６、右入賞口４５ｄへの遊技球の入球を検知する右入賞口スイッチ（図示せず）などが設けられている。また、遊技盤３０の裏面側には、主制御基板５２やサブ制御基板５４などの各種制御基板も配置されている。なお、主制御基板５２は、遊技の基本的な進行の制御を司るものであり、ゲートスイッチ４０ａからの検知信号や第１始動口スイッチ４１ａからの検知信号、第２始動口スイッチ４２ａからの検知信号、カウントスイッチ４４ａからの検知信号、左入賞口スイッチ４６からの検知信号、右入賞口スイッチからの検知信号、後述する磁気センサ６０〜６５から検知信号などを入力しており、普通電動役物ソレノイド４２ｂへの駆動信号や大入賞口ソレノイド４４ｂへの駆動信号などを出力している。また、サブ制御基板５６は、遊技の進行に伴って行なわれる各種演出の全体的な制御を司るものであり、演出ボタン２６からの操作信号などを入力しており、スピーカ２８ａ，２８ｂへの音信号や演出表示装置３９への表示信号などを出力している。主制御基板５２は、サブ制御基板５４やその他の制御基板（遊技球の払い出しに係る制御を司る払出制御基板など）と通信可能に接続されており、各種コマンドやデータのやり取りを行っている。
【００２９】
また、遊技盤３０の裏面側には、図３に示すように、普通図柄作動ゲート４０と右入賞口４５ｄとの間に磁気センサ６０が設けられ、第１始動口スイッチ４１ａの近傍に磁気センサ６１が設けられ、第１始動口４１の近傍に磁気センサ６２が設けられ、左入賞口４５ａ，４５ｂの間に磁気センサ６３が設けられ、ワープ入口３３ａの近傍に磁気センサ６４が設けられ、左入賞口４５ｃとアウト口４８との間に磁気センサ６５が設けられている。ここで、磁気センサ６０〜６５のうち磁気センサ６０は遊技盤３０の表面よりも手前側（ガラス板１２側）に設けられ、磁気センサ６１〜６５は遊技盤３０の裏面よりも奥側に設けられている。これら磁気センサ６０〜６５は、本実施例では、何れも、ガラス管に封入された２本の磁性体リードを有し、磁束によりリード間に働く吸引力によってリード同士が接触することで、磁気を検知するリードスイッチとして構成されている。
【００３０】
こうして構成された実施例のパチンコ機１０では、第１始動口４１がセンター役物３２の下に配置されており、大当り遊技でない通常遊技のときに、遊技者は遊技球を遊技領域３１の左側（センター役物３２の左側領域）に流下させるように発射ハンドル１８の回転操作（所謂左打ち）を行うことにより、遊技球を第１始動口４１に入球させることができる。また、普通図柄作動ゲート４０および第２始動口４２がセンター役物３２の右下に配置されており、遊技者は発射ハンドル１８を最大限右回転させて遊技球を発射させる所謂右打ちを行うことにより、遊技球を遊技領域３１の右側（センター役物３２の右側領域）に流下させて、普通図柄作動ゲート４０に通過させることができ、普通図柄作動ゲート４０への遊技球の通過に基づいて変動表示される普通図柄が当りとなって第２始動口４２が開状態となると、遊技者は右打ちを継続することにより、遊技球を開状態となった第２始動口４２に入球させることができる。さらに、大入賞口４４が第２始動口４２の下に配置されており、第１始動口４１や第２始動口４２への遊技球の入球に基づいて変動表示される特別図柄が当りとなって大当り遊技が開始されると、遊技者は右打ちを行うことにより、遊技球を遊技領域３１の右側（センター役物３２の右側領域）に流下させて、開状態となった大入賞口４４に入球させることができる。
【００３１】
また、実施例のパチンコ機１０では、主制御基板５２が図示しない外部制御基板を介してホールコンピュータに通信可能に接続されており、磁気センサ６０〜６５の何れかにより磁気が検知されると、エラー情報を主制御基板５２からホールコンピュータへ出力すると共に、主制御基板５２からサブ制御基板５４へ制御コマンドを出力することでサブ制御基板５４により演出表示装置３９にエラーが発生している旨のエラー表示を行う。
【００３２】
図６は磁気センサ６０〜６５の磁気検知範囲を説明する説明図であり、図７は磁気センサ６０〜６５の第１方向および第２方向における磁気検知距離を説明する説明図である。ここで、図６の左右方向はリードの長手方向に平行な方向を示す。また、図７の「第１方向」はリードの長手方向に直交する方向を示し、「第２方向」はリードの長手方向に平行な方向を示す。磁気センサ６０〜６５は、前述したように、リードスイッチとして構成されており、リードの長手方向に平行な磁束に対して反応する。このため、磁気センサ６０〜６５は、リードの長手方向両端からそれぞれ略球状に広がる空間（略ひょうたん形の空間）を磁気検知範囲とし（図６参照）、リードの長手方向に平行な方向（第２方向）の磁気検知距離Ｌ２の方がリードの長手方向に直交する方向（第１方向）の磁気検知距離Ｌ１よりも長い（図７参照）。したがって、磁気センサ６０〜６５は、遊技盤３０の表面に対してリードの長手方向が平行となるように配置（この配置態様を「横置き」とも呼ぶ）すると、遊技盤３０の表面に平行な方向に対して磁気検知距離が長くなる（磁気検知範囲が広くなる）と共に、遊技盤３０の表面に直交する方向（表面から手前側）に対して磁気検知距離が短くなる（磁気検知範囲が狭くなる）。一方、遊技盤３０の表面に対してリードの長手方向が直交するように配置（この配置態様を「縦置き」とも呼ぶ）すると、遊技盤３０の表面に平行な方向に対して磁気検知距離が短くなる（磁気検知範囲が狭くなる）と共に、遊技盤３０の表面に直交する方向（表面から手前側）に対して磁気検知距離が長くなる（磁気検知範囲が広くなる）。
【００３３】
図８は、遊技盤３０における磁気検知範囲を示す説明図である。なお、図中の破線が磁気検知範囲を示す。図示するように、磁気センサ６０は、横置き配置（リードの長手方向が遊技盤３０の表面に平行となるよう配置）されて、遊技盤３０表面において略ひょうたん形の磁気検知範囲を形成しており、普通図柄作動ゲート４０と第２始動口４２と右入賞口４５ｄとを磁気検知範囲内に収める。また、磁気センサ６１は、縦置き配置（リードの長手方向が遊技盤３０の表面に直交するよう配置）されて、遊技盤３０表面において略円形の磁気検知範囲を形成しており、第１始動口スイッチ４１ａを磁気検知範囲内に収める。磁気センサ６２〜６４も、磁気センサ６１と同様に、縦置き配置されて略円形の磁気検知範囲を形成しており、磁気センサ６２は第１始動口４１を磁気検知範囲内に収め、磁気センサ６３は左入賞口４５ａおよび左入賞口４５ｂを磁気検知範囲内に収め、磁気センサ６４はワープ入口３３ａを磁気検知範囲内に収める。また、磁気センサ６５は、磁気センサ６０と同様に、横置き配置されて略ひょうたん形の磁気検知範囲を形成しており、左入賞口４５ｂ，４５ｃおよびアウト口４８を磁気検知範囲内に収める。
【００３４】
図９は、右サイド飾り３４の断面を示す断面図である。ここで、図９（ａ）は磁気センサ６０を遊技盤３０の裏面の奥側に配置した比較例の断面図であり、図９（ｂ）は磁気センサ６０を遊技盤３０の表面の手前側に配置した実施例の断面図である。なお、図９の点線は磁気センサ６０の磁気検知範囲を示す。前述したように、横置きに配置された磁気センサ６０は、縦置きに配置された磁気センサ６１〜６４に比して、遊技盤３０の表面に平行な方向の磁気検知距離が長く、複数の通過口を単一のセンサでその磁気検知範囲に収めことができるものの、遊技盤３０の表面に直交する方向の磁気検知距離が短い（磁気検知範囲が狭い）。このため、磁気センサ６０を、縦置きに配置された磁気センサ６１〜６４と同様に、遊技盤３０の裏面よりも奥側に位置するように配置すると、ガラス板１２越しに普通図柄作動ゲート４０付近や第２始動口４２付近、右入賞口４５ｄ付近に近づけられる磁石を十分な感度で検知することができない場合が生じる（図９（ａ）参照）。一方、本実施例では、磁気センサ６０を、右サイド飾り３４の第２誘導部３４ｂ（凸部）の裏側に形成された凹部３５に遊技盤３０の表面よりも手前側に位置するよう収容するから、磁気センサ６０の遊技盤３０の表面に直交する方向における磁気検知範囲を手前側にシフトすることができる（図９（ｂ）参照）。これにより、横置きされた磁気センサ６０によって、遊技盤３０表面に平行な方向における磁気検知範囲を広げつつ、遊技盤３０の表面より手前側の磁気検知距離を十分に確保することができる。
【００３５】
また、図８に示すように、左入賞口４５ａおよび左入賞口４５ｂの間に配置された磁気センサ６３と左入賞口４５ｃおよびアウト口４８の間に配置された磁気センサ６５は、互いの磁気検知範囲が左入賞口４５ｂ付近で重複している。このため、左入賞口４５ａに磁石が近づけられると、磁気センサ６３，６５のうち磁気センサ６３だけが磁気を検知し、左入賞口４５ｂに磁石が近づけられると、磁気センサ６３，６５の両方が磁気を検知し、左入賞口４５ｃやアウト口４８に磁石が近づけられると、磁気センサ６５だけが磁気を検知することとなる。これにより、磁気センサ６３による磁気の検知状況と磁気センサ６５による磁気の検知状況とに基づいて、左入賞口４５ａ〜４５ｃおよびアウト口４８のうち何れに磁石が近づけられたのかを特定することが可能となる。このように、各磁気検知範囲の一部が重複するように複数の磁気センサ（磁気検知部材）を配置することにより、磁気の検知位置を細かく特定することができるから、不正が発生し易い箇所を把握することができ、その後のパチンコ機１０の開発や調整に役立てることができる。
【００３６】
以上説明した実施例のパチンコ機１０によれば、磁気センサ６０を、右サイド飾り３４の第２誘導部３４ｂ（凸部）の裏側に形成された凹部３５に遊技盤３０の表面よりも手前側に位置するよう横置き（リードの長手方向が遊技盤３０の表面に平行となる配置）で収容する。これにより、磁気センサ６０の遊技盤３０表面に直交する方向における磁気検知範囲を手前側にシフトすることができるから、横置きされた磁気センサ６０によって、遊技盤３０表面に平行な方向における磁気検知範囲を広げつつ、遊技盤３０表面より手前側の磁気検知距離を十分に確保することができる。この結果、一の磁気センサ６０によって広範な磁気検知範囲を確保することができる。また、一の磁気センサ６０によって複数の球通過口（普通図柄作動ゲート４０や第２始動口４２、右入賞口４５ｄ）を磁気検知範囲に収めるから、部品点数を減らすことができ、製造コストを低減させることができる。しかも、磁気センサ６０を、球通路となる右サイド飾り３４の第２誘導部３４ｂ（凸部）内に収容したから、磁気センサ６０を遊技盤３０表面よりも手前側に収容するための専用の収容部を設ける必要がない。
【００３７】
実施例のパチンコ機１０では、磁気センサ６０の全部が遊技盤３０の表面よりも手前側に位置するように配置するものとしたが、これに限定されるものではなく、磁気センサ６０を横置きした際に遊技盤３０の表面から手前側の磁気検知距離が十分であれば、一部が遊技盤３０の表面よりも奥側に位置するように磁気センサ６０を配置するものとしてもよい。
【００３８】
実施例のパチンコ機１０では、磁気センサ６０〜６５として、リードの長手方向が遊技盤３０表面に平行となるよう横置きするもの（磁気センサ６０，６５）と、リードの長手方向が遊技盤３０表面に直交するよう縦置きするもの（磁気センサ６１〜６４）とを混在させるものとしたが、これに限定されるものではなく、全ての磁気センサ６０〜６５を横置きするものとしてもよい。また、実施例のパチンコ機１０では、磁気センサ６１〜６５を、遊技盤３０表面よりも奥側に配置するものとしたが、磁気センサ６０と同様に、遊技盤３０表面よりも手前側に配置するものとしてもよい。
【００３９】
実施例のパチンコ機１０では、磁気センサ６０〜６５をリードスイッチにより構成するものとしたが、これに限定されるものではなく、例えば、ホール素子など、第１方向の磁気検知距離よりも第１方向と直交する第２方向の磁気検知距離の方が長いセンサであれば、如何なる磁気センサを用いるものとしてもよい。
【００４０】
また、本実施例では、遊技ホールの島設備から供給される遊技球を「貸球」や「賞球」として利用し、遊技盤に設けられた各種入賞口（第１始動口、第２始動口、大入賞口等）への遊技球の入球に応じて所定数の賞球を払い出すことによって、遊技上の利益（遊技価値）を遊技者に付与する遊技機（パチンコ機）に本発明を適用した例を説明したが、「賞球の払い出し」とは異なる形態で遊技上の利益を付与するタイプの遊技機にも、本発明を適用することができる。例えば、各種入賞口への遊技球の入球が発生することで、その入球に対応する利益の量（遊技価値の大きさ）を示すデータを主制御部あるいは払出制御部のＲＡＭ（遊技価値管理制御部）に記憶することによって、遊技上の利益（遊技価値）を遊技者に付与するタイプの遊技機にも本発明を適用することができ、この場合にも、上記実施例と同様の効果を得ることができる。もちろん、遊技価値管理制御部が管理する遊技価値として、遊技の結果得られた遊技価値と、現金等を投入することで得られた遊技価値とを別に管理（別途に表示）してもよいし、一緒に管理（加減算して表示）してもよい（別表示と加減算表示の両方をしてもよい）。なお、遊技上の利益（遊技価値）をデータ化して遊技者に付与するタイプの遊技機としては、遊技機に内蔵された複数個の遊技球を循環させて使用する遊技機、具体的には、各種入賞口あるいはアウト口を経て遊技盤の裏面に排出された遊技球を、再度、発射位置に戻して発射するように構成された遊技機（いわゆる封入式遊技機）を例示できる。
【００４１】
実施例の主要な要素と課題を解決するための手段の欄に記載した発明の主要な要素との対応関係について説明する。実施例では、パチンコ機１０が「遊技機」に相当し、遊技盤３０が「遊技盤」に相当し、磁気センサ６０が「磁気検知部材」に相当する。また、普通図柄作動ゲート４０と第２始動口４２と右入賞口４５ｄとが「複数の球通過口」に相当する。また、第２始動口４２が「可変入球装置」に相当し、普通図柄作動ゲート４０が「契機口」に相当する。また、磁気センサ６１〜６５が「他の磁気検知部材」に相当する。なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行われるべきものであり、実施例は課題を解決するための手段の欄に記載した発明の具体的な一例に過ぎないものである。
【００４２】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【符号の説明】
【００４３】
１０  パチンコ機、１１  前面枠、１２  ガラス板、１４  上受け皿、１６  下受け皿、１８  発射ハンドル、２１  本体枠、２２  外枠、２４ａ  球貸ボタン、２４ｂ  返却ボタン、２６  演出ボタン、２８ａ，２８ｂ  スピーカ、２９  施錠装置、３０  遊技盤、３１ａ  外レール、３１ｂ  内レール、３２  センター役物、３３  ワープ通路、３３ａ  ワープ入口、３３ｂ〜３３ｄ  ワープ出口、３４  右サイド飾り、３４ａ，３４ｂ  誘導部、３５  凹部、３６  左サイド飾り、３７  風車、３８  釘、３９  演出表示装置、４０  普通図柄作動ゲート、４０ａ  ゲートスイッチ、４１  第１始動口、４１ａ  第１始動口スイッチ、４２  第２始動口、４２ａ  第２始動口スイッチ、４２ｂ  普通電動役物ソレノイド、４２ｃ  翼片部、４４  大入賞口、４４ａ  カウントスイッチ、４４ｂ  大入賞口ソレノイド、４４ｃ  開閉板、４５ａ〜４５ｃ  左入賞口、４５ｄ  右入賞口、４６  左入賞口スイッチ、４８  アウト口、５０  特別図柄表示装置、６０〜６５  磁気センサ。
【図１】
2015160064.tif 000003
【図７】
2015160064.tif 000004
【図２】
2015160064.tif 000005
【図３】
2015160064.tif 000006
【図４】
2015160064.tif 000007
【図５】
2015160064.tif 000008
【図６】
2015160064.tif 000009
【図８】
2015160064.tif 000010
【図９】
2015160064.tif 000011